(57)【要約】【課題】健常者を対象とした通常のシンクは、車椅子を利用する身障者にとっては、使用し難いという問題があった。【解決手段】１または２の洗い場タンク２を表面に設けたシンク本体１の前記洗い場タンク２の下部に空間部５を設け、かつ前記シンク本体１の前面に、空間部５に通ずる開口部６を設けて成ることを特徴とする車椅子用シンク。【選択図】図１
0003127618.tif 000002
【実用新案登録請求の範囲】
【請求項１】
１または２の洗い場タンクを表面に設けたシンク本体の前記洗い場タンクの下部に空間部を設け、かつ前記シンク本体の前面に、空間部に通ずる開口部を設けて成ることを特徴とする車椅子用シンク。
【請求項２】
シンク本体の下部には洗い場タンクの高さを上下に調節できる高さ調節機構を設けて成ることを特徴とする請求項１記載の車椅子用シンク。
【請求項３】
開口部には空間部を遮蔽する着脱自在の当板ないしは開閉自在のカーテンなどの覆い機構を設けて成ることを特徴とする請求項１記載の車椅子用シンク。
【請求項４】
シンク本体の表面の洗い場タンク手前側で開口部の上部に車椅子利用者の身体を受け入れる凹処を設けて成ることを特徴とする請求項１記載の車椅子用シンク。
【考案の詳細な説明】
【技術分野】
【０００１】
この考案は、身障者、特に車椅子利用者に適した車椅子用シンクに関する。
【背景技術】
【０００２】
一般に知られる家庭用のシンクは、表面に設けられる洗い場タンクに対し、この洗い場タンクを支持する下部本体は、前記洗い場タンクの排水管の敷設を始め、収納棚とか物入れ用の引き戸や各種調理用器品の収納部として用いられ、手前の表面は遮蔽状態で構成されているのが普通の構成である（例えば、特許文献１および２参照）。
【０００３】
これに対し、シンクの下部や側部に空間領域を設けて置き、食器洗い機を収納できるようにした構成のものも知られている（例えば、特許文献３参照）。
【特許文献１】特開２００２−１６５６５３号公報
【特許文献２】特開２０００−１６６６６６号公報
【特許文献３】特開平１１−２５３２５０号公報
【考案の開示】
【考案が解決しようとする課題】
【０００４】
上述した文献では、すべて健常者の使用を前提としたシンクの発明であって、車椅子を常時使用する台所のシンクには何の配慮もされていない。
【０００５】
車椅子を利用する身障者は、自力での歩行，起立が困難であるため、文献に示されるシンクを用いての料理は勿論のこと、食事後の洗い物など一連の動作は、仲々困難を伴い、使い勝手が悪く、不自由極まりないのが現状である。
【０００６】
本考案は、叙上の点に着目して成されたもので、車椅子を常用している身障者にとっても、健常者と同様にお勝手仕事を自由にできるようにした新規な車椅子用シンクを提供することを目的とする。併せて、滑車付椅子に着座した状態での使用にも可能なシンクを提供することを目的とする。
【課題を解決するための手段】
【０００７】
本考案は、以下の構成を備えることにより前記課題を解決できた。
【０００８】
（１）１または２の洗い場タンクを表面に設けたシンク本体の前記洗い場タンクの下部に空間部を設け、かつ前記シンク本体の前面に、空間部に通ずる開口部を設けて成ることを特徴とする車椅子用シンク。
【０００９】
（２）シンク本体の下部には洗い場タンクの高さを上下に調節できる高さ調節機構を設けて成ることを特徴とする前記（１）記載の車椅子用シンク。
【００１０】
（３）開口部には空間部を遮蔽する着脱自在の当板ないしは開閉自在のカーテンなどの覆い機構を設けて成ることを特徴とする前記（１）記載の車椅子用シンク。
【００１１】
（４）シンク本体の表面の洗い場タンク手前側で開口部の上部に車椅子利用者の身体を受け入れる凹処を設けて成ることを特徴とする前記（１）記載の車椅子用シンク。
【考案の効果】
【００１２】
本考案によれば、車椅子を常用している身障者や、滑車付椅子を利用して着座した儘でも腰の悪い老人なども、車椅子ごと着座した儘で、シンク本体の表面の開口部を経て、空間部内に入ることができ、したがって車椅子の移動を停止状態にロックさせれば、両手は自由にシンク本体の洗い場タンク上に位置させて野菜，魚，肉などの包丁さばきや水洗いを健常者と同様に行うことができ、自分の好みの料理をすることができる。
【００１３】
また、食事後の洗い物も、同様に洗い場タンクを利用して普通の人と変わりなく台所での手料理を楽しむことができる。
【００１４】
なお、高さ調節機構により、好みの高さを設定できるので有効である。
【００１５】
さらに、不使用時には開口部を当板で遮蔽できるので、台所の美感を損なわない利点もある。
【００１６】
さらにまた、表面に凹処を設けてあれば、シンク本体の空間部内に深く入り、かつ身体が凹処に入って洗い場タンクにより近付けるので、両手がより使い易くなるという利点がある。
【００１７】
なお、本考案によればシンク本体の前面に形成される開口部には、これを着脱自在の当板や、開閉自在のカーテンなどの覆い機構を設けることができるので、不使用の場合は、開口部を遮蔽できて台所の美感を確保できる。
【考案を実施するための最良の形態】
【００１８】
以下に、本考案の一実施例を図面と共に説明する。
【実施例】
【００１９】
図において、１はシンク本体、２はシンク本体１の表面に設けた洗い場タンクを示し、図示では大小２種類のタンク部即ち大タンク部２ａと小タンク部２ｂが凹設され、連通凹処３を介して連通させてある。４は水道水供給管を示し、端部の蛇口４ａを操作して水道水を排水供給できるようになっている。
【００２０】
そして上述した洗い場タンク２は、ステンレスなどの不銹鋼などの型プレス加工で形成でき、木製ないしはプラスチック製さらには金属製のシンク本体１の上部に被着固定する。
【００２１】
５はシンク本体１の洗い場タンク２の下側に設けた空間部、６はこの空間部５と通ずるシンク本体１の開口部を示し、車椅子７に着座した状態でこの車椅子７の前部７ａが着座状態の身障者Ｍの足部分Ｌが、開口部６より空間部５に向けて挿入された状態を確保できる。
【００２２】
この状態において、身障者の両手は、シンク本体１の上方即ち洗い場タンク２の上方に伸ばして水道水供給管４の蛇口４ａの開閉操作は勿論のこと、この洗い場タンク２内での水仕事は自由に行うことができると共に、洗い場タンク２上に載置できるマナ板（図示せず）を利用して、野菜，肉などの包丁による切截も一般人と同様に行うことができる。なお、前記開口部６は、シンク本体１と前面のみならず、図２に示すように後面も開口部６を設けて、前後両面からの車椅子７が利用できるようにすることもできる。
【００２３】
８はシンク本体１の下部の四隅部に設けた床面Ｆ上で上下伸縮できる例えば螺子構造の高さ調節機構であって、操作螺環８ａを左右に回転させることにより、シンク本体１の高さを上下に調節でき、車椅子利用者にとって最適なシンク本体１の高さを調節することができる。
【００２４】
９は洗い場タンク２の底に設けた排水用の栓、１０はこの栓９よりの排水管で屋外での下水管（図示せず）と接続できるようにしてある。
【００２５】
また図３に示すように、シンク本体１の表面の洗い場タンク２の手前側、即ち開口部６の上部を部分的に凹設し、円弧状，角状など好みの形状の凹処１１を形成し、車椅子７に着座している身障者Ｍの身体を凹処１１内に入れるようにし、シンクの使い勝手をよりし易くできるように配慮することも可能である。
【００２６】
さらに洗い場タンク２の水はねを防止するための水はね防止板１２を、図３や図２のようにシンク本体１の背面上とか凹処１１の周辺位置に設けることもできる。
【００２７】
図４（ａ），（ｂ）には、開口部６を遮蔽する覆い機構１３を設けることできる場合を示している。
【００２８】
図４（ａ）は、シンク本体１の前面に掛止めできるパネル構造の当板１３ａであり、また図４（ｂ）は、中央で左右に割れる二枚のカーテン１３ｂをカーテンレール１４などで移動させて開口部６を開閉自在とし、いずれの場合も不使用時には、開口部６を遮蔽して台所の美感を確保させることができる。特に当板１３ａは開口部６より外す場合は、他の食器具の表面に掛止具をつけて吊下げて置けば邪魔にならない。
【００２９】
なお図示された実施例は、開口部６を除き、左右の二方向に板パネルを用いているが、これに代えて脚構造としても良い。
【００３０】
さらに図において、１５は前面両側に形成される引出し、開き戸などを示し、各種台所用品の収納室として使用できる。
【図面の簡単な説明】
【００３１】
【図１】本考案に係る車椅子用シンクの概略を示す斜面説明図
【図２】図１の車椅子利用状態を示す一部切欠説明図
【図３】他の実施例を示す車椅子シンクの平面図
【図４】さらに他の実施例を示すもので、（ａ）は覆い機構を着脱自在のパネル構造の当板とした場合の正面図、（ｂ）は覆い機構を開閉自在のカーテンとした場合の正面図
【符号の説明】
【００３２】
１    シンク本体
２    洗い場タンク
４    水道水供給管
５    空間部
６    開口部
７    車椅子
７ａ  前部
８    高さ調節機構
１０    排水管
１１    凹処
１２    水はね防止板
１３    覆い機構
１３ａ  当板
１３ｂ  カーテン
【図１】
0003127618.tif 000003
【図２】
0003127618.tif 000004
【図３】
0003127618.tif 000005
【図４】
0003127618.tif 000006